(57)【特許請求の範囲】
【請求項１】
無線通信システムのユーザー端において第一ＨＡＲＱ（ハイブリッド自動リピート要求）プロセスを停止させる方法であって、
第一ＨＡＲＱプロセスの停止を指示する一次的絶対グラント（primary  absolute  grant）メッセージを受信し、
第一ＨＡＲＱプロセスを停止させ、
すべてのＨＡＲＱプロセスが停止し、かつ二次的グラント機能が起動された場合に、すべてのＨＡＲＱプロセスを起動し、二次的絶対グラント（ＡＧ）メッセージにより指定されたＡＧ値で伝送パラメーターを更新するステップを含むことを特徴とするＨＡＲＱプロセスの停止方法。
【請求項２】
前記ユーザー端の伝送時間間隔（ＴＴＩ）を２ｍｓとすることを特徴とする請求項１記載のＨＡＲＱプロセスの停止方法。
【請求項３】
前記一次的ＡＧメッセージは単一ＨＡＲＱプロセスに対して有効であることを特徴とする請求項１記載のＨＡＲＱプロセスの停止方法。
【請求項４】
前記無線通信システムは第三世代移動通信システムに付加されるＨＳＵＰＡ（高速アップリンクパケットアクセス）システムであることを特徴とする請求項１記載のＨＡＲＱプロセスの停止方法。
【請求項５】
第一ＨＡＲＱプロセスの停止を処理する、無線通信システムに用いられる通信装置であって、
通信装置の機能を実現させる制御回路と、
制御回路の中に設けられ、プログラムコードを実行して制御回路を制御する中央処理装置（ＣＰＵ）と、
制御回路の中でＣＰＵと結合されるように設けられ、プログラムコードを保存するための保存装置とを含み、
前記プログラムコードは、
第一ＨＡＲＱプロセスの停止を指示する一次的ＡＧメッセージを受信し、
第一ＨＡＲＱプロセスを停止させ、
すべてのＨＡＲＱプロセスが停止し、かつ二次的グラント機能が起動された場合に、すべてのＨＡＲＱプロセスを起動し、二次的ＡＧメッセージにより指定されたＡＧ値で伝送パラメーターを更新するステップを含む、
ことを特徴とすることを特徴とする通信装置。
【請求項６】
前記ユーザー端のＴＴＩを２ｍｓとすることを特徴とする請求項５記載の通信装置。
【請求項７】
前記一次的ＡＧメッセージは単一ＨＡＲＱプロセスに対して有効であることを特徴とする請求項５記載の通信装置。
【請求項８】
前記無線通信システムは第三世代移動通信システムに付加されるＨＳＵＰＡシステムであることを特徴とする請求項５記載の通信装置。
【請求項９】
無線通信システムのネットワーク端において第一ＨＡＲＱプロセスを停止させる方法であって、
ユーザー端の二次的グラント機能が起動され、かつ第一ＨＡＲＱプロセスがユーザー端において未だに停止されていない最後のＨＡＲＱプロセスである場合に、第一ＨＡＲＱプロセスを停止させるようにユーザー端に指示する一次的ＡＧメッセージの影響範囲を、全ＨＡＲＱプロセスに設定し、
一次的ＡＧメッセージをユーザー端に出力するステップを含むことを特徴とするＨＡＲＱプロセスの停止方法。
【請求項１０】
前記無線通信システムは第三世代移動通信システムに付加されるＨＳＵＰＡシステムであることを特徴とする請求項９記載のＨＡＲＱプロセスの停止方法。
【請求項１１】
ユーザー端の第一ＨＡＲＱプロセスを停止させて無線信号資源を節約する、無線通信システムに用いられる通信装置であって、
通信装置の機能を実現させる制御回路と、
制御回路の中に設けられ、プログラムコードを実行して制御回路を制御するＣＰＵと、
制御回路の中でＣＰＵと結合されるように設けられ、プログラムコードを保存するための保存装置とを含み、
前記プログラムコードは、
ユーザー端の二次的グラント機能が起動され、かつ第一ＨＡＲＱプロセスがユーザー端において未だに停止されていない最後のＨＡＲＱプロセスである場合に、第一ＨＡＲＱプロセスを停止させるようにユーザー端に指示する一次的ＡＧメッセージの影響範囲を、全ＨＡＲＱプロセスに設定し、
一次的ＡＧメッセージをユーザー端に出力するステップを含むことを特徴とする通信装置。
【請求項１２】
前記無線通信システムは第三世代移動通信システムに付加されるＨＳＵＰＡシステムであることを特徴とする請求項１１記載の通信装置。
【発明の詳細な説明】
【技術分野】
【０００１】
この発明は無線通信システムにおいてＨＡＲＱ（ハイブリッド自動リピート要求）プロセスを停止させる方法及び装置に関し、特にユーザー端の伝送パラメーターが、無線通信システムにおける最後のＨＡＲＱプロセスが停止した後でも二次的ＡＧに影響されるようにし、ネットワークの信号伝送を減らして無線資源を節約する方法及び装置に関する。
【背景技術】
【０００２】
第三世代移動通信技術はＷＣＤＭＡ（広帯域符号分割多元接続）を利用し、高いスペクトル利用効率、カバー率、通話品質及び高速伝送を実現させるとともに、ＱｏＳ（サービス品質）の確保、柔軟性のある双方向通信の実現、通話中断率の低減を可能にする。第三世代移動通信システムにおいて、ユーザーはＵＥ（ユーザー装置、例えば携帯電話）を通して映像通話、電話会議、ゲーム、オンライン音楽再生、及び電子メールを楽しむことができる。もっとも、高速かつ実時間の情報伝送に頼るこれらの機能を実現させるため、従来は第三世代移動通信テクノロジーに関してＨＳＤＰＡ（高速ダウンリンクパケットアクセス）とＨＳＵＰＡ（高速アップリンクパケットアクセス）規格を定めている。両規格は、帯域の使用率とパケットの処理効率を向上させ、アップリングとダウンリンクの伝送速度を向上させる効果がある。
【０００３】
ＨＳＵＰＡ規格はシステムのアップリンクネットワーク機能を向上させ、誤送データをすばやく再送して遅延を解消し、チャンネル品質の良否によって伝送速度を調節する機能を有する。このような制御機能を実現させるため、ＨＳＵＰＡ規格は基地局（ノードＢ）スケジューリング、ＨＡＲＱ（ハイブリッド自動リピート要求）、ソフトハンドオーバー、ショートフレーム伝送などの技術を採用し、ＨＳＵＰＡのパケットアクセスに関しては３ＧＰＰ（第三世代パートナーシッププロジェクト）がＥ−ＤＣＨ（エンハンスド専用チャンネル）を規定している。Ｅ−ＤＣＨは、ＨＡＲＱ  ＡＣＫ／ＮＡＣＫ情報、アップリンクスケジューリング情報、制御プレーン情報、及びユーザープレーン情報を伝送する物理層チャンネルＥ−ＨＩＣＨ、Ｅ−ＲＧＣＨ、Ｅ−ＡＧＣＨ、Ｅ−ＤＰＣＣＨ、Ｅ−ＤＰＤＣＨを新たに導入しており、詳しい定義については３ＧＰＰのＭＡＣ（媒体アクセス制御）プロトコル規格3GPP  TS  25.321  V6.7.0を参照する。
【０００４】
ショートフレーム伝送を利用しているため、ＨＳＵＰＡの伝送時間間隔（ＴＴＩ）を２ｍｓまたは１０ｍｓとすることができる。ＨＡＲＱプロセスの数量はＴＴＩの長さによって異なる。上記ＭＡＣプロトコルの11.8.1.1.1によれば、ＨＡＲＱプロセスの数量はＨＡＲＱの往復遅延時間（ＲＴＴ。パケットを送信してから対応する確認信号を受信するまでにかかる時間）に等しい。つまり、ＴＴＩを２ｍｓとするとき、ＨＡＲＱ  ＲＴＴは８となり、ＨＡＲＱプロセスの数量も８となる。それに対して、ＴＴＩを１０ｍｓとするとき、ＨＡＲＱ  ＲＴＴは４となり、ＨＡＲＱプロセスの数量も４となる。
【０００５】
ノードＢスケジューリング技術を利用しているため、基地局はセル内のユーザー端の送信電力を調整することでそのアップリンク伝送速度を調整することができる。上記ＭＡＣプロトコルの9.2.5.2.1と9.2.5.2.2によれば、ネットワーク端はＥ−ＲＧＣＨ（Ｅ−ＤＣＨ相対グラントチャンネル）とＥ−ＡＧＣＨ（Ｅ−ＤＣＨ絶対グラントチャンネル）を介して相対グラント（ＲＧ）メッセージと絶対グラント（ＡＧ）メッセージをユーザー端に送信し、これでユーザー端の送信電力を制御する。Ｅ−ＡＧＣＨは、Ｅ−ＲＮＴＩ（Ｅ−ＤＣＨ無線ネットワーク一時識別子）を用いてＡＧメッセージを特定のユーザー端に送信する共通チャンネルである。ユーザー端の送信電力を直接に調整できるＡＧメッセージは、一次的と二次的なものがある。基地局は一次的ＡＧメッセージを用いて、同じグループに属するユーザー端のアップリンク伝送に用いられる資源を同時に制御し、所要の信号伝送を減らす。そのＡＧメッセージには、ユーザー端の次回送信に使用できる資源の量を示すＡＧフィールドと、ＡＧ値の範囲が単一ＨＡＲＱプロセス（per  HARQ  process）または全ＨＡＲＱプロセス（all  HARQ  process）であるかを示す範囲（scope）フィールドが含まれる。範囲フィールドは、ＨＡＲＱプロセスの起動や停止の影響が単一のＨＡＲＱプロセスにのみ及ぼすか、もしくはすべてのＨＡＲＱプロセスに及ぼすことを示す。
【０００６】
ＡＧメッセージ受信後のユーザー端動作については、上記ＭＡＣプロトコル11.8.1.3.1を参照する。ＡＧメッセージの受信後、対応するＥ−ＲＮＴＩタイプが「一次的」であり、ＡＧ値が「INACTIVE」であって範囲フィールドがper  HARQ  processを示し、かつＴＴＩが２ｍｓとされる場合では、ユーザー端は実行中のＨＡＲＱプロセス、すなわち変数CURRENT_HARQ_PROCESSに対応するＨＡＲＱプロセスを停止させる。対応するＥ−ＲＮＴＩタイプが「一次的」であり、ＡＧ値が「INACTIVE」であって範囲フィールドがall  HARQ  processを示し、かつユーザー端に二次的Ｅ−ＲＮＴＩが設置された（二次的グラント機能が起動する）場合では、ユーザー端はすべてのＨＡＲＱを起動し、保存された二次的グラント値をサービンググラントとして設定し（変数Serving_Grantを変数Stored_Secondary_Grantと同じにする）、更に一次的グラント変数を「なし」にし（すなわち変数Primary_Grant_Availableを「偽」にする）、サービンググラントが二次的ＡＧメッセージの制御を受けるようにする。そのほか、ＡＧ値がINACTIVEでなく、対応するＥ−ＲＮＴＩタイプが「二次的」である場合は、変数Stored_Secondary_GrantをＡＧ値と同じにする。それに反して、対応するＥ−ＲＮＴＩタイプが「一次的」であり、もしくは変数Primary_Grant_Availableが「偽」にされた場合は、ユーザー端のサービンググラントをＡＧ値と同じにする（すなわち変数Serving_GrantをＡＧ値と同じにする）。上記INACTIVE、Stored_Secondary_Grant、Primary_Grant_Available、Serving_Grantの定義については、前記ＭＡＣプロトコル3.1.2を参照する。
【０００７】
上記従来の技術によれば、ユーザー端のＴＴＩを２ｍｓとする場合、ＡＧフィールドが「INACTIVE」、範囲フィールドがall  HARQ  processを示す一次的ＡＧメッセージを受信すれば、ユーザー端は対応するＨＡＲＱプロセスを停止させ、変数Primary_Grant_Availableを保持する。変数Primary_Grant_Availableは、ユーザー端のサービンググラントが一次的ＡＧメッセージまたはＲＧメッセージのみに影響されるかどうかを示すものであり、同変数が「真」であることは、ユーザー端のサービンググラントが一次的ＡＧメッセージまたはＲＧメッセージのみに影響されることを示し、同変数が「偽」であることは、ユーザー端のサービンググラントが一次的ＡＧメッセージ、二次的ＡＧメッセージまたはＲＧメッセージに影響されることを示す。従来の技術は、すべてのＨＡＲＱプロセスが停止したときに無駄な信号伝送が発生する場合がある。
【０００８】
例えば、ユーザー端のＴＴＩを２ｍｓとし、第一ＨＡＲＱプロセスを実行し、かつ変数Primary_Grant_Availableが「真」である場合、サービングセルがＡＧ＝INACTIVE、範囲＝per  HARQ  processの一次的ＡＧメッセージをユーザー端に出力すれば、従来のユーザー端は第一ＨＡＲＱプロセスを停止させ、変数Primary_Grant_Availableを保持する。そのため、変数Primary_Grant_Availableは「真」のままとなり、ユーザー端のサービンググラントは一次的ＡＧメッセージまたはＲＧメッセージにのみ影響され、二次的ＡＧメッセージに影響されないようになる。言い換えれば、受信の前後を問わず、二次的ＡＧメッセージにより指定されたＡＧ値はすべてユーザー端に利用されることができず、後続のＨＡＲＱプロセスは二次的ＡＧメッセージの制御を受けず、サービングセルは一次的ＡＧメッセージのみでＨＡＲＱプロセスを起動・制御するほかない。二次的ＡＧメッセージを利用できないため、所要の信号伝送が増え、無線資源が無駄にされることは免れない。
【発明の開示】
【発明が解決しようとする課題】
【０００９】
この発明はネットワーク端の信号伝送を減らし、無線資源を節約するため、無線通信システムにおいてＨＡＲＱプロセスを停止させる方法及び装置を提供することを課題とする。
【課題を解決するための手段】
【００１０】
この発明は、無線通信システムのユーザー端において第一ＨＡＲＱ（ハイブリッド自動リピート要求）プロセスを停止させる方法を提供する。該方法は、第一ＨＡＲＱプロセスの停止を指示する一次的絶対グラント（primary  absolute  grant）メッセージを受信し、第一ＨＡＲＱプロセスを停止させ、すべてのＨＡＲＱプロセスが停止し、かつ二次的グラント機能が起動された場合に、すべてのＨＡＲＱプロセスを起動し、二次的絶対グラント（ＡＧ）メッセージにより指定されたＡＧ値で伝送パラメーターを更新するステップからなる。
【００１１】
この発明は更に、第一ＨＡＲＱプロセスの停止を処理する、無線通信システムに用いられる通信装置を提供する。該通信装置は、通信装置の機能を実現させる制御回路と、制御回路の中に設けられ、プログラムコードを実行して制御回路を制御する中央処理装置（ＣＰＵ）と、制御回路の中でＣＰＵと結合されるように設けられ、プログラムコードを保存するための保存装置とを含む。該プログラムコードは、第一ＨＡＲＱプロセスの停止を指示する一次的ＡＧメッセージを受信し、第一ＨＡＲＱプロセスを停止させ、すべてのＨＡＲＱプロセスが停止し、かつ二次的グラント機能が起動された場合に、すべてのＨＡＲＱプロセスを起動し、二次的ＡＧメッセージにより指定されたＡＧ値で伝送パラメーターを更新するステップを含む。
【００１２】
この発明は更に、無線通信システムのネットワーク端において第一ＨＡＲＱプロセスを停止させる方法を提供する。該方法は、ユーザー端の二次的グラント機能が起動され、かつ第一ＨＡＲＱプロセスがユーザー端において未だに停止されていない最後のＨＡＲＱプロセスである場合に、第一ＨＡＲＱプロセスを停止させるようにユーザー端に指示する一次的ＡＧメッセージの影響範囲を、全ＨＡＲＱプロセス（all  HARQ  process）に設定し、一次的ＡＧメッセージをユーザー端に出力するステップからなる。
【００１３】
この発明は更に、ユーザー端の第一ＨＡＲＱプロセスを停止させて無線信号資源を節約する、無線通信システムに用いられる通信装置を提供する。該通信装置は、通信装置の機能を実現させる制御回路と、制御回路の中に設けられ、プログラムコードを実行して制御回路を制御するＣＰＵと、制御回路の中でＣＰＵと結合されるように設けられ、プログラムコードを保存するための保存装置とを含む。該プログラムコードは、ユーザー端の二次的グラント機能が起動され、かつ第一ＨＡＲＱプロセスがユーザー端において未だに停止されていない最後のＨＡＲＱプロセスである場合に、第一ＨＡＲＱプロセスを停止させるようにユーザー端に指示する一次的ＡＧメッセージの影響範囲を、全ＨＡＲＱプロセスに設定し、一次的ＡＧメッセージをユーザー端に出力するステップを含む。
【発明の効果】
【００１４】
本発明は、ユーザー端における最後のＨＡＲＱプロセスを停止させた後に、ユーザー端の伝送パラメーターが二次的ＡＧメッセージに影響されるように保持する、ユーザー端とネットワーク端で実行される方法を提供する。該方法はネットワーク端の信号伝送を減らし、無線資源を節約する効果がある。
【発明を実施するための最良の形態】
【００１５】
かかる方法及び装置の特徴を詳述するために、具体的な実施例を挙げ、図示を参照して以下に説明する。
【００１６】
図１を参照する。図１は無線通信システムの無線通信装置１００のブロック図である。説明を簡素化するため、図１は無線通信装置１００の入力装置１０２、出力装置１０４、制御回路１０６、ＣＰＵ（中央処理装置）１０８、保存装置１１０、プログラムコード１１２及びトランシーバー１１４のみ描くとする。無線通信装置１００において、制御回路１０６はＣＰＵ１０８で保存装置１１０に保存されるプログラムコード１１２を実行し、無線通信装置１００の動作を制御する。制御回路１０６は入力装置１０２（例えばキーボード）を介してユーザーが入力した信号を受信し、出力装置１０４（スクリーン、スピーカーなど）を介して映像、音声などの信号を出力する。無線信号を受発信するトランシーバー１１４は受信した信号を制御回路１０６に送信し、または制御回路１０６による信号を無線で出力する。言い換えれば、通信プロトコルの構造から見れば、トランシーバー１１４は第一層の一部とみなされ、制御回路１０６は第二層と第三層の機能を実現させる。無線通信装置１００は望ましくは、第三世代移動通信システムに含まれる。
【００１７】
図２を参照する。図２は図１に示すプログラムコード１１２を表す説明図である。アプリケーション層２００と、第三層インターフェイス２０２と、第二層インターフェイス２０６からなるプログラムコード１１２は、第一層インターフェイス２１８と接続されている。第二層インターフェイス２０６はＲＬＣ（無線リンク制御）エンティティー２２４とＭＡＣ（媒体アクセス制御）エンティティー２２６を含む。ＲＬＣエンティティー２２４は伝送品質によって伝送データや制御指令に対して、分割、再組み立て、連結、パディング、再送、暗号化、シーケンスチェック、重複検出など処理を行う。ＭＡＣエンティティー２２６は第三層インターフェイス（ＲＲＣ層、無線資源制御層）２０２の無線資源配分指令に従って、ＲＬＣエンティティー２２４から別々の論理チャンネルに属するパケットを一般、共通または専用チャンネルに対応させ、チャンネルマッピング、マルチプレクシング、伝送形式選択、ランダムアクセス制御などのプロセスを実行する。
【００１８】
ＨＳＵＰＡ機能のある応用では、ＭＡＣエンティティー２２６はネットワーク端から出力される一次的ＡＧメッセージに基づいてＨＡＲＱプロセスを停止させる。それに関して本発明は、ＨＡＲＱプロセスの停止を処理するＨＡＲＱプロセス停止プログラムコード２２０を提供し、不必要な伝送を減らして無線資源を節約する。図３を参照する。図３はこの発明による第一方法のフローチャートである。下記方法は、無線通信システムのユーザー端において第一ＨＡＲＱプロセスを停止させるために利用され、ＨＡＲＱプロセス停止プログラムコード２２０としてコンパイルされることができる。
ステップ３００：開始。
ステップ３０２：第一ＨＡＲＱプロセスの停止を指示する一次的ＡＧメッセージを受信する。
ステップ３０４：第一ＨＡＲＱプロセスを停止させる。
ステップ３０６：すべてのＨＡＲＱプロセスが停止し、かつ二次的グラント機能が起動された場合に、すべてのＨＡＲＱプロセスを起動し、二次的ＡＧメッセージにより指定されたＡＧ値で伝送パラメーターを更新する。
ステップ３０８：終了。
前述のとおり、未だに停止されていない最後のＨＡＲＱプロセスを停止させた後、ユーザー端は二次的ＡＧメッセージにより指定された伝送パラメーターを利用する。望ましくは、ユーザー端のＴＴＩを２ｍｓとし、一次的ＡＧメッセージの範囲をper  HARQ  processとする。ＡＧメッセージの受信後、対応するＥ−ＲＮＴＩタイプが「一次的」であり、ＡＧ値が「INACTIVE」であって範囲フィールドがper  HARQ  processを示し、かつユーザー端のＴＴＩが２ｍｓとされている場合では、ユーザー端は実行中のＨＡＲＱプロセス、すなわち変数CURRENT_HARQ_PROCESSに対応するＨＡＲＱプロセスを停止させる。すべてのＨＡＲＱプロセスが停止し、かつ上位層が二次的Ｅ−ＲＮＴＩをユーザー端に設置した場合では、ユーザー端はすべてのＨＡＲＱプロセスを起動し、保存された二次的グラント値をサービンググラントとして設定し（変数Serving_Grantを変数Stored_Secondary_Grantと同じにする）、変数Primary_Grant_Availableを「偽」にする。そうすると、ユーザー端は二次的ＡＧメッセージにより指定されたＡＧ値を利用し、後続のＨＡＲＱは二次的ＡＧメッセージで起動・制御することができる。そのため、不必要な信号伝送が減少し、無線資源は節約される。
【００１９】
前述のとおり、基地局は一次的ＡＧを用いてセル内における特定ユーザー端のアップリンク伝送に用いられる資源を制御し、二次的ＡＧメッセージを用いて同じグループに属するユーザー端のアップリンク伝送に用いられる資源を制御する。最後のＨＡＲＱプロセスを停止させた後、従来のユーザー端は二次的ＡＧメッセージにより指定されたＡＧ値を利用することができず、ネットワーク端は一次的ＡＧメッセージで送信電力を制御するしかないため、所要の信号伝送が増える。それと比べて本発明によるユーザー端は、最後のＨＡＲＱプロセスを停止させた後でも、二次的ＡＧメッセージにより指定されたＡＧ値を利用することができるため、ネットワーク端の不必要な信号伝送は減少できる。
【００２０】
ユーザー端で実行される上記方法とは別として、本発明はネットワーク端で実行される下記方法を提供する。図４を参照する。図４はこの発明による第二方法のフローチャートである。下記方法は、無線通信システムのネットワーク端がユーザー端の第一ＨＡＲＱプロセスを停止させるために利用され、ＨＡＲＱプロセス停止プログラムコード２２０としてコンパイルされることができる。
ステップ４００：開始。
ステップ４０２：ユーザー端の二次的グラント機能が起動され、かつ第一ＨＡＲＱプロセスがユーザー端において未だに停止されていない最後のＨＡＲＱプロセスである場合に、第一ＨＡＲＱプロセスを停止させるようにユーザー端に指示する一次的ＡＧメッセージの影響範囲を、全ＨＡＲＱプロセス（all  HARQ  process）に設定する。
ステップ４０４：一次的ＡＧメッセージをユーザー端に出力する。
ステップ４０６：終了。
前述のとおり、ネットワーク端が一次的ＡＧメッセージでユーザー端の最後のＨＡＲＱプロセスを停止させ、ユーザー端に二次的Ｅ−ＲＮＴＩが設置されている（二次的グラント機能が起動する）場合では、ネットワーク端は一次的ＡＧメッセージの影響範囲をall  HARQ  processに設定する。そうすると、一次的ＡＧを受信した後、ユーザー端はすべてのＨＡＲＱプロセスを起動し、保存された二次的グラント値をサービンググラントとして設定し（変数Serving_Grantを変数Stored_Secondary_Grantと同じにする）、変数Primary_Grant_Availableを「偽」にする（すなわちサービンググラントが二次的ＡＧメッセージの制御を受ける）。
【００２１】
したがって、ユーザー端における最後のＨＡＲＱプロセスを停止させようとするとき、ネットワーク端は一次的ＡＧメッセージの範囲フィールドをall  HARQ  processに設定する。この一次的ＡＧメッセージを受信したユーザー端は変数Primary_Grant_Availableを「偽」にし、ネットワーク端が二次的ＡＧメッセージでユーザー端の伝送パラメーターを制御することを可能にする。ネットワーク端は二次的ＡＧメッセージを用いて、同じグループに属するユーザー端のアップリンク伝送に用いられる資源を同時に制御できるため、不必要な信号伝送が減少し、無線資源は節約される。
【００２２】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２３】
この発明は従来の動作条件を変えたのみであり、当然実施可能である。
【図面の簡単な説明】
【００２４】
【図１】無線通信システムの無線通信装置のブロック図である。
【図２】図１に示すプログラムコードを表す説明図である。
【図３】この発明による第一方法のフローチャートである。
【図４】この発明による第二方法のフローチャートである。
【符号の説明】
【００２５】
１００    無線通信装置
１０２    入力装置
１０４    出力装置
１０６    制御回路
１０８    ＣＰＵ
１１０    保存装置
１１２    プログラムコード
１１４    トランシーバー
２００    アプリケーション層
２０２    第三層インターフェイス
２０６    第二層インターフェイス
２１２    バッファー
２１８    第一層インターフェイス
２２０    ＨＡＲＱプロセス停止プログラムコード
２２４    ＲＬＣエンティティー
２２６    ＭＡＣエンティティー
【図１】
0004504393.tif 000002
【図２】
0004504393.tif 000003
【図３】
0004504393.tif 000004
【図４】
0004504393.tif 000005